(57)【要約】  本発明は、互いに接合されて間に空洞を形成するように構成された、互いに間隔を置いて配置された２つの壁を有し、２つの壁は、周囲縁部を有し、かつ本質的に縁部に沿って周囲接合部で互いに密封されているパッケージ、たとえばブリスターパッケージであって、周囲接合部の一部が、少なくとも２つの導電面と、電気的に脆弱化可能な接着剤とを有するパッケージに関する。本発明はさらに、パッケージに電力を供給する装置に関する。
2009502683.tif 000002
【特許請求の範囲】
【請求項１】
互いに接合されて間に空洞を形成するように構成された、互いに間隔を置いて配置された２つの壁を有し、
前記２つの壁は、周囲縁部を有し、かつ本質的に前記縁部に沿って周囲接合部で互いに密封されているパッケージであって、
前記周囲接合部の一部が、少なくとも２つの導電面と、電気的に脆弱化可能な接着剤とを有するパッケージ。
【請求項２】
前記２つの壁は少なくとも１つの導電性ポリマーを含む、請求項１に記載のパッケージ。
【請求項３】
前記少なくとも２つの導電面は、前記空洞から前記周囲接合部へ向かって、少なくとも部分的に前記第１および第２の壁を越えて延びている、請求項１に記載のパッケージ。
【請求項４】
第１の導電面が前記第１の壁の上に配置され、かつ第２の導電面が前記第２の壁の上に配置されており、
前記電気的に脆弱化可能な接着剤は、前記第１の導電面と前記第２の導電面との間の距離をまたいでいる、請求項１から３のいずれか１項に記載のパッケージ。
【請求項５】
前記導電面に隣接して配置された少なくとも１つのフラップをさらに有する、請求項１から４のいずれか１項に記載のパッケージ。
【請求項６】
前記導電面に隣接する第２のブリスターをさらに有する、請求項１から５のいずれか１項に記載のパッケージ。
【請求項７】
前記第１および第２の壁に前記パッケージが開く方向に張力をかける弾性材料をさらに含む、請求項１から６のいずれか１項に記載のパッケージ。
【請求項８】
前記弾性材料は、前記２つの壁の少なくとも一方の上に、前記導電面に隣接して配置されている、請求項７に記載のパッケージ。
【請求項９】
前記弾性材料は、前記少なくとも２つの導電面の少なくとも１つの上に配置されている、請求項８に記載のパッケージ。
【請求項１０】
請求項１から９のいずれか１項に記載のパッケージの導電面に電力を供給する装置であって、
互いに向かい合い、それによって読み取りスロットを形成し、少なくとも２つの導体を有する、第１および第２のフランジと、
前記導体間に電圧を印加するようになっている電圧供給源と、
を有する、パッケージの導電面に電力を供給する装置。
【請求項１１】
２つの前記フランジは、互いに向かってばね負荷がかけられている、請求項１０に記載の装置。
【請求項１２】
２つの前記フランジは、前記スロットの幅の方向における第１の方向（方向Ｘ）に互いに隣接して配置されている、請求項１１に記載の装置。
【請求項１３】
前記少なくとも２つの導体は、前記第１の方向に対して垂直であり、かつ好ましくは読み取り動作の方向に対しても垂直な方向（方向ｚ）において分離されている、請求項１２に記載の装置。
【請求項１４】
前記少なくとも２つの導体は、前記スロットの幅を形成している第１の方向（方向ｘ）に分離されている、請求項１０に記載の装置。
【請求項１５】
前記少なくとも２つの導体は、前記第１の方向に対して垂直であり、かつ好ましくは読み取り動作の方向に対しても垂直な方向（方向ｚ）に分離されている、請求項１４に記載の装置。
【請求項１６】
バーコードリーダをさらに有する、請求項１０から１５のいずれか１項に記載の装置。
【請求項１７】
カードリーダをさらに有する、請求項１０から１６のいずれか１項に記載の装置。
【請求項１８】
間に空洞を形成し、周囲縁部を有する、互いに間隔を置いて配置された第１および第２の２つの壁を用意することと、
前記２つの壁を実質的に前記縁部に沿って周囲接合部で密封することと、
前記周囲接合部の一部に、少なくとも２つの導電面と電気的に脆弱化可能な接着剤とを設けることと、
を含む方法。
【請求項１９】
少なくとも２つの導電面と電気的に脆弱化可能な接着剤とを有するブリスターパッケージを用意することと、
前記ブリスターパッケージの前記２つの導電面を有する部分を電圧供給装置に通すことと、
を含む方法。
【発明の詳細な説明】
【技術分野】
【０００１】
本発明は、互いに接合されて間に空洞を形成するように構成された、互いに間隔を置いて配置された２つの壁を有し、その２つの壁は、周囲縁部を有し、かつ本質的に縁部に沿って周囲接合部で互いに密封されているパッケージ、たとえばブリスターパッケージに関する。
【０００２】
本発明はさらに、電気的に脆弱化可能な接着剤に電流を供給する装置と、パッケージを密閉する方法およびパッケージを開く方法とに関する。
【背景技術】
【０００３】
ブリスターパッケージとも呼ばれる品物用の包装ユニットは通常、プラスチック材料の２つの壁またはフォイルで作られる。これらの壁は、ヒートシールが主な周囲縁部に沿って溶接されるかまたは全周囲を囲む、比較的硬い合成シートである。ブリスターパッケージが、プラスチック製のブリスター前部壁および厚紙製の後部壁を有し、プラスチック製の前部が厚紙に接着されることも公知である。他の公知のパッケージは、プラスチック製のブリスター前部壁および平坦なフォイル製の後部壁を含む。
【０００４】
これらの公知のブリスターパッケージの欠点の１つは、しばしば開くのが困難であり、通常はハサミまたはかなりの引き裂き力が必要になり、ユーザにとって不便であることである。
【０００５】
この問題を解消するために、従来技術のブリスターパッケージは通常、ユーザが製品に手を届かせるようにするためのある種の引き裂き部を含んでいる。
【０００６】
しかし、このような従来技術のパッケージは、パッケージに入っている品物を楽々と取り出すことができ、盗難されたり品物がいたずらされる機会が増えるため、盗難に遭ったり製品をいたずらされる傾向にある。
【０００７】
従来技術では、電圧を印加することによってポリマー鎖を破壊できることが公知である。これはたとえば、G.S. Shapovalの論文（Cathodic initiation of reactions of macromolecule formation and degradation, Theoretical and Experimental Chemistry, Volume 30, Number 6, November 1995）に述べられている。
【０００８】
米国特許第６６２０３０８号明細書は、航空産業界で使用できる材料を開示している。この特許公報から明らかなように、この材料は米国空軍局の管理下で開発されている。この材料はコーティングおよび接着剤として使用できるように開発される。米国特許第６６２０３０８号明細書ではさらに、この接着剤の接合および高分子コーティングを製品の組み立ておよび仕上げで一般的に使用することが述べられている。同公報には、接着剤の接合をねじ、ボルト、リベットなどの機械的固定具の代わりに使用して、機械的コストが安くかつ製造プロセスへの適合性が高い接合を行うことが述べられている。同公報には、さらに、接着剤の接合が、応力を均等に分散させ、疲労の可能性を低くし、接合部を腐食種から封止することが述べられている。同公報は、同様に、ポリマー系のコーティングを一般的に製品の外面に塗布することを述べている。このようなコーティングは、表面を腐食反応物質から封止する保護層を形成すると共に、美的に好ましい場合がある塗装面を形成する。
【０００９】
米国特許第６６２０３０８号明細書に開示された組成は、マトリックス機能および電解機能を有し、この電解機能はブロック共重合体またはグラフト共重合体によって実現される。マトリックス機能は基板に接着剤の接合を生じさせ、電解機能は、この組成と接触した導電面との界面でファラデー反応を生じさせるのに十分なイオン導電率を組成にもたらし、それによって接着剤の接合は界面の所で脆弱化される。組成は、実質的にマトリックス機能を備えた第１の領域と、実質的に電解機能を備えた第２の領域とを有する相分離された組成であってもよい。
【発明の開示】
【発明が解決しようとする課題】
【００１０】
本発明の１つの目的は、容易に開くブリスターパッケージを提供することである。
【００１１】
本発明の他の目的は、許可無しでは開き難いブリスターパッケージを提供することである。
【００１２】
本発明の第３の目的は、容易に開き、しかも盗難または許可無くいたずらされることから保護されるブリスターパッケージを提供することである。
【課題を解決するための手段】
【００１３】
これらの利点とその他の利点は、互いに接合されて間に空洞を形成するように構成された、互いに間隔を置いて配置された２つの壁を有し、２つの壁は、周囲縁部を有し、かつ本質的に縁部に沿って周囲接合部で互いに密封されているパッケージであって、周囲接合部の一部が、少なくとも２つの導電面と、電気的に脆弱化可能な接着剤とを有するパッケージによって実現されている。
【００１４】
パッケージ、たとえばブリスターパッケージの周囲接合部の一部に２つの導電面および電気的に脆弱化可能な接着剤を設けることによって、盗難および／またはいたずらから保護され、しかも容易に開くブリスターパッケージを提供することが可能である。
【００１５】
パッケージを開く前に、外部電源から電気的に脆弱化可能な接着剤に電圧がかけられる。それによって、周囲接合部の、電気的に脆弱化可能な接着剤を有する部分を開くことができる。パッケージのこの初期開きによって、周囲接合部の残りの部分の開きが誘起されるかまたは容易になり、それによってユーザは、パッケージに収容された品物に容易に手を届かせることができる。パッケージを開くのに外部電源が必要であり、許可されていないユーザが品物に手を届かせることがより困難になるため、盗難および／またはいたずらが防止される。外部電源はたとえば、レジに配置することができ、消費者が品物の代金を支払うときにレジ係がパッケージに電流を供給することができる。
【００１６】
パッケージの、２つの導電面および電気的に脆弱化可能な接着剤を備える部分は、周囲接合部の全体、すなわち周囲接合部の１００％であってもよい。しかし、周囲接合部の一部を開くことが残りの部分の開きを誘起するため、たいていの場合、周囲接合部の全体に導電面および電気的に脆弱化可能な接着剤を備える必要はない。好ましい実施態様では、パッケージの、２つの導電面および電気的に脆弱化可能な接着剤を備えた部分は、たとえば周囲接合部の５０％未満、好ましくは周囲接合部の２５％未満を構成することができる。これによって材料が節約され、生産コストが削減される。
【００１７】
導電面は、フォイル、あるいは少なくとも１つの導電ポリマーを含む膜で形成することができる。好ましい実施態様では、パッケージを形成する壁のうちの少なくとも１つは、少なくとも１つの導電性ポリマーを含み、これによって導電面を形成する。このように、特別の導電材料を付加する必要はない。
【００１８】
「少なくとも２つの導電面」は、空洞から周囲接合部へ向かって、少なくとも部分的に第１および第２の壁を越えて延びていてもよい。これによって、導電面に確実に手が届き、それによって電気的に脆弱化可能な接着剤に電圧を印加することが容易になる。本発明の好ましい実施態様では、導電面を電圧供給装置に通すようになっている。この読み取り動作によって、パッケージの導電面とフランジ上の導体との接触が改善され、したがって導電面への電流供給が改善される。さらに、導体とフランジとの摩擦によって、導体上に場合によっては存在する酸化物層のような、場合によっては存在する不純物が擦り取られ、接触がさらに改善される。
【００１９】
本発明の他の好ましい実施態様では、第１の導電面はパッケージの第１の壁の上に配置され、かつ第２の導電面は第２の壁の上に配置されており、電気的に脆弱化可能な接着剤は、第１の導電面と第２の導電面との間の距離をまたいでいる。これによって、導電面を電圧供給装置に通すのが容易になる。
【００２０】
本発明は、上述のパッケージの電気的に脆弱化可能な接着剤に電流を供給する装置であって、読み取りスロットを形成する第１のフランジおよび第２のフランジと、導体間に電圧を印加する手段とを有する装置に関するということもできる。
【００２１】
導体同士が、読み取りスロットの幅に対して垂直であり、かつ好ましくは読み取り動作の方向に対しても垂直な方向に分離されていることが好ましい。これによって、導体同士が直接接触することが無くなり、したがって短絡が防止される。
【００２２】
本発明の好ましい実施態様では、電圧供給装置はレジシステムの一部を構成し、消費者が製品の代金を支払うときにレジ係または店員がパッケージを電圧供給装置に通す。この場合、パッケージを開くにはパッケージを電圧供給装置に通す必要があるため、盗難および／またはいたずらに対する保護が向上する。読み取り動作は現在ではクレジットカードについて行われており、読み取り動作は店員に広く知られた作業である。
【００２３】
電圧供給装置は、少なくとも１つのバーコードリーダをさらに有していてもよい。このように、ユーザ、たとえば店員はパッケージを電圧供給装置に１度通すだけでよい。他の実施態様では、装置は、少なくとも１つのカードリーダをさらに有していてもよい。これによって、レジシステムで必要な構成部材の数が少なくなる。装置は、バーコードリーダとカードリーダとを有していてもよい。バーコードリーダおよび／またはカードリーダは、たとえばフランジ上に配置することができる。
【００２４】
本発明は、間に空洞を形成し、周囲縁部を有する、互いに間隔を置いて配置された第１および第２の２つの壁を用意することと、２つの壁を実質的に縁部に沿って周囲接合部で密封することと、周囲接合部の一部に、少なくとも２つの導電面と電気的に脆弱化可能な接着剤とを設けることと、を含む方法に関するということもできる。
【００２５】
本発明は、少なくとも２つの導電面と電気的に脆弱化可能な接着剤とを有するブリスターパッケージを用意することと、ブリスターパッケージの２つの導電面を有する部分を電圧供給装置に通すことと、を含む方法と定義することもできる。
【００２６】
本発明を、本発明の現在において好ましい実施形態を示す添付の概略図を参照して、一例として詳しく説明する。
【発明を実施するための最良の形態】
【００２７】
後述のパッケージは、電気的に脆弱化可能な接着剤材料を利用している。本発明のパッケージは、電気的に脆弱化可能な接着剤材料を含む接着層に連結された電子および／またはイオンエミッタおよびレシーバとして働く２つの導電面を備えている。接着層は、粘着性および導電性を有している。有効面同士の間に電圧をかけ、接着層に電流が流れると、接着層内または接着層と少なくとも一方の導電面との間に形成された接合が破壊または脆弱化される。これにより、接着層は電気的に脆弱化可能な接着剤を形成する。
【００２８】
電気的に脆弱化可能な接着剤は、有効層同士の間の距離全体をまたいでいてもよいが、必要な電気的および／または機械的連結を行うことのできる他の材料の追加的な層を備えていてもよい。このような材料は、従来の非導電接着剤、ポリマー、ワニスなど、またはそれぞれの材料の導電形態であってもよい。
【００２９】
まず、電気的に脆弱化可能な接着剤および導電面の様々な基本構成について、パッケージの特定の構成とは別に詳しく述べる。その後に、パッケージの様々な構成について詳しく述べる。場合によっては、パッケージの構成について特定の種類の基本構成と組み合わせて述べる。しかし、これが例示のためのものであり、様々な基本構成をパッケージの様々な構成と組み合わせることができることを留意されたい。
【００３０】
一実施形態によれば、接着層は、マトリックス機能と電解機能との両方を有する組成で構成されている。マトリックス機能および電解機能は、単一の相またはいくつかの別々の相で形成することができる。
【００３１】
マトリックス機能は、面同士を互いに機械的にまたは化学的に接着するのに必要な接着性をもたらす。マトリックス機能は、接着性を有するポリマー、ポリマー樹脂、または繊維によって得ることができる。
【００３２】
電解機能は、ファラデー反応、すなわち、材料を酸化または還元させる電気化学反応、あるいは他の何らかの化学／物理反応を生じさせるのに必要なイオン導電性をもたらす。材料は、反応が一方または両方の有効面と接着層との間の界面で生じるように選択され、構成されていることが好ましい。あるいは、接着層は、反応が接着層内で生じるように構成することができる。これはたとえば、電解機能を有する材料のアイランドをマトリックス材料内に設けることによって実現することができる。電解機能は、材料に塩を添加するか、またはポリマーがイオン配位部分を含むようにポリマーを修飾することによって得ることができる。
【００３３】
本発明のパッケージで使用される電気的に脆弱化可能な接着剤は、EIC laboratories社によって供給され、米国特許第６６２０３０８号明細書により詳しく開示されている、電気化学的に接着解除可能な組成のElectRelease（商標）であってもよい。
【００３４】
本発明のパッケージは、互いに距離を置いて配置された第１の導電面および第２の導電面と、第１の導電面と第２の導電面との間の距離にまたぐようになっている電気的に脆弱化可能な接着剤とを有する基本構造を有している。好ましい実施形態では、第１の導電面は、第１の面に対する法線方向において第２の導電面から分離されており、電気的に脆弱化可能な接着剤は、第１の導電面と第２の導電面との間の距離をまたいでいる。導電面同士の間の電位差は、外部電気エネルギー源によって与えられるようになっている。導電面同士の間に電圧をかけると、電気的に脆弱化可能な接着剤を介して導電面同士の間に電流が流れる。これによって、電気的に脆弱化可能な接着剤中または電気的に脆弱化可能な接着剤と一方または両方の導電面との間の接合が破壊または脆弱化される。
【００３５】
本発明の一実施形態では、導電面はフォイルで形成される。あるいは、導電面を導電性ポリマーのフォイルで作ることができる。好ましい実施形態では、ブリスターパッケージを形成する壁を、導電性ポリマーを含む材料で少なくとも部分的に作ることができ、それによって特別の導電材料を付加する必要がなくなる。
【００３６】
図１および２を参照すると、上述の基本構造を有する品物の包装ユニットが示されている。包装ユニットは、一般にブリスターと呼ばれる空洞３を間に形成するように形成された、互いに間隔を置いて配置された第１の壁１および第２の壁２を有している。品物受け入れ空洞すなわちブリスターを一方の壁に形成して、他方の壁を平坦にすることができ、あるいは両方の壁が品物を受け入れるブリスターの一部を形成することができる。少なくとも一方の壁をプラスチック材料、好ましくは透明プラスチックで形成することが好ましい。一実施形態では、上部壁と下部壁との両方がプラスチックで作られる。あるいは、一方の壁を、一般にブリスターカードと呼ばれる、平坦なプラスチックシート、可撓性フィルム、または厚紙などの繊維材料として形成することができる。
【００３７】
半剛性のプラスチック材料壁１，２は、ポリエステル材料などのプラスチック材料から加熱によって形成することができる。適切な成形技術には真空成形および深絞りが含まれるが、これらに限定されない。
【００３８】
包装ユニットは、周囲に沿って密封されている。接合は、接着剤、超音波、熱密封、無線周波数（ＲＦ）密封、しっかりした機械的なインターロックのような任意の好都合な技術を使用することによって行うことができる。図１に示されている包装ユニット１０の壁１，２は、図３にさらに示されている、縁部４の１つに沿って曲げられて折り返された１枚の材料シートで形成されている。しかし、壁を２つの別個の部材で形成することも可能である。周囲接合部の一部は、少なくとも２つの導電面５，６および電気的に脆弱化可能な接着剤８、すなわち、基本構造９を有している。第１の導電面５を第１の壁に取り付け、第２の導電面６を第２の壁２に取り付け、電気的に脆弱化可能な接着剤を第１及び第２の導電面６，７の間に塗布することが好ましい。第１および第２の導電面６，７は、第１および第２の壁１，２の外側に壁の延長方向に延びており、外部電源を導電面に届かせることが可能になっている。
【００３９】
図１に示されている実施形態では、導電面と電気的に脆弱化可能な接着剤とを有する基本構造は、周囲接合部内の、包装ユニットの互いに隣接する２つの側縁部の概略的な交差部に配置されている。しかし、基本構造は、包装ユニットの周囲接合部内の任意の位置に配置することができる。好ましい一実施形態では、基本構造は１つの縁部の所に配置される。こうすると、読み取り角度を調節するのが容易になるため、読み取り動作が容易になる。基本構造は、包装ユニットの角部の両側を延びていることが好ましい。これによって、読み取り動作の後でパッケージを開くことが容易になる。
【００４０】
導電面５，６間に電圧をかけると、電気的に脆弱化可能な接着剤を介して導電面同士の間に電流が流れる。これによって、電気的に脆弱化可能な接着剤中または電気的に脆弱化可能な接着剤と一方の導電面との間の接合が破壊または脆弱化される。
【００４１】
電気的に脆弱化可能な接着剤中の接合の破壊または脆弱化を行うのに必要な電圧は、外部電源によって印加することができる。一実施形態では、電圧は、パッケージの、基本構造を有する部分を電圧供給装置の読み取りスロットに通すことによって供給される。
【００４２】
図３に示されている好ましい製造プロセスでは、第１および第２の導電面と電気的に脆弱化可能な接着剤とを有する基本構造９は、互いに密封され、それによって空洞すなわちブリスターを形成するようになっている壁から別個に製造される。パッケージを周囲に沿って密封する前に、基本構造が周囲の一部を覆い、したがって少なくとも導電面が壁の外側にある距離だけ延びるように、基本構造を壁同士の間に配置する。その後、任意の好都合な技術を使用してパッケージを周囲に沿って密封する。
【００４３】
図４および図５は、電気的に脆弱化可能な接着剤中の接合を破壊または脆弱化した後の壁の分離を容易にする様々な方法を示している。
【００４４】
図４は、基本構造９と、基本構造に隣接して配置された一対のフラップ２０，２１とを有する本発明のパッケージの一実施形態を示している。フラップ同士が部分的に重なり合うように、第１のフラップ２０を第１の壁１に配置し、第２のフラップ２１を第２の壁２に配置することが好ましい。ユーザが誤ってパッケージを破壊するのを防止するために、フラップは小形にかつ脆弱に作られる。これによって、基本構造が密封されたときにユーザがフラップを掴むことが困難になる。基本構造の電気的に脆弱化可能な接着剤中の接合を脆弱化または破壊すると、ユーザはフラップを掴むことができ、パッケージを開くことが容易になる。
【００４５】
図５は、基本構造９と、基本構造９の近くにまたは基本構造９に隣接して配置された、第２の壁２の小型の第２のブリスター２３とを有する本発明のパッケージの他の実施形態を示している。第１の壁１はブリスター２３に対向する開口部または穴を有しており、第２の壁２のブリスター２３はその穴を通って延びている。電気的に脆弱化可能な接着剤中の接合を破壊または脆弱化した後、ユーザは第２のブリスターを押し、それによって導電面同士が分離され、ユーザは一方の縁部を掴むことができる。
【００４６】
本発明のパッケージの他の実施形態では、パッケージは、基本構造に隣接してまたは基本構造の近くに配置された第２の小型のブリスターを一方の壁１に有しているが、反対側の壁に開口部または穴はない。電気的に脆弱化可能な接着剤中の接合を破壊または脆弱化した後、ユーザが小型のブリスター２３を押し下げると、ブリスターの周りの領域が上向きに屈曲し、それによって導電面同士が分離され、ユーザは一方の縁部を掴むことができる。
【００４７】
他の実施形態では、両方の壁が、同じ方向に押し出し成形され、基本構造の近くにまたは基本構造に隣接して配置された小型のブリスターを有しており、第１の壁の第１のブリスターが第２の壁の第２のブリスターを密閉するようになっている。電気的に脆弱化可能な接着剤中の接合を脆弱化または破壊した後、ユーザはブリスターを押し、それによって基本構造の導電面が分離される。
【００４８】
他の実施形態では、構造内の張力によって分離が容易になる。たとえば、ゴムなどの弾性材料を弾性バイアス力を生じさせる弾性材料として使用することができる。弾性材料は、構造の硬化または密封時に押し付けることができる。導体と電気的に脆弱化可能な接着剤とを有する基本構造は、弾性材料をさらに有していてもよい。あるいは、弾性材料を基本構造に隣接させて一方または両方の壁上に配置することができる。弾性バイアス力は、一方または両方の壁の可撓性材料によって生じさせることもできる。これはたとえば、パッケージを密封する際に押し付けられる２つのブリスターを形成することによって行うことができる。第１の小型のブリスターを、基本構造に隣接させて第１の壁に形成し、第１の小型ブリスターに対応する第２の小型のブリスターを第２の壁に形成することが好ましい。
【００４９】
図６および図７は、基本構造９の導電面５，６に電圧を供給する装置の一例を示している。この装置は、本体１１と、ばね負荷をかけられた状態で第１の方向（方向ｘ）に互いに隣接して配置され、読み取りスロット１４を形成する２つのフランジ１２，１３とを有している。フランジ１２，１３は、電源に接続されるようになっている一対の導体１５，１６を有している。ユーザは、パッケージの、基本構造を備えた部分をスロット１４に通し、それによって、電流が電気的に脆弱化可能な接着剤を通って流れる。この読み取り動作によって、基本構造の導電面とフランジの導体との接触が改善され、したがって、導電面への電圧供給が改善される。さらに、導体とフランジとの間の摩擦によって、導体上の場合によっては存在する酸化物層のような、場合によっては存在する不純物が擦り取られ、接触がさらに改善される。
【００５０】
図６および図７に示されている実施形態では、装置は、導体１５，１６に接続された少なくとも１つの電池をさらに有している。この実施形態では、電池は本体１１の内側に配置されている。図６および図７に示されている実施形態の代替実施形態では、装置を外部電圧供給源に接続することができる。装置は、たとえばレジシステムの一体的な一部を構成することができ、それによって特別の電圧供給源は不要になる。
【００５１】
本発明の好ましい実施形態では、電圧供給装置は少なくとも１つのバーコードリーダをさらに有している。このような構成では、店員はパッケージを１度電圧供給装置に通すだけでよい。他の実施形態では、装置は少なくとも１つのカードリーダをさらに有していてもよい。これによって、レジシステムに必要な構成部材の数が少なくなる。装置は、バーコードリーダとカードリーダとを有していてもよい。バーコードリーダおよび／またはカードリーダは、たとえばフランジ１２，１３上に配置することもできる。
【００５２】
スロット１４を形成するフランジ１２，１３にばね負荷をかけ、導電面またはパッケージの厚さとは無関係に、基本構造の導電面５，６と導体１２，１３とを確実に接触させることが好ましい。
【００５３】
図６に示されているように、フランジ１２，１３は第１の方向（方向Ｘ）に互いに隣接させて配置することができる。あるいは、フランジ１２，１３を第１の方向にスロットの幅を形成する距離だけ分離することができる。
【００５４】
好ましい一実施形態では、導体１５，１６は少なくとも一方向において互いに距離を置いて配置される。導体１５，１６は、第１の方向に対する法線方向（方向ｚ）、すなわち、スロットの延長方向に対して垂直（すなわち、読み取り動作の方向に対して垂直）であり、スロットの幅に対しても垂直な方向に互いに距離を置いて配置されていることが好ましい。これによって、導体１５，１６間の直接的な接触が防がれ、したがって短絡が防止される。
【００５５】
本発明の好ましい一実施態様では、第１の導体１５は、第２のフランジに面する第１のフランジの上部に配置され、第２の導体１６は、第１のフランジに面する第２のフランジの下部に配置される。第１および第２の導体は、導体同士の直接的な接触が防がれるように、それらのフランジの異なる部分に配置される。
【図面の簡単な説明】
【００５６】
【図１】基本構造を有するブリスターパッケージを示す図である。
【図２】ブリスターパッケージの、基本構造を有する部分の断面図である。
【図３】基本構造を有するブリスターパッケージの製造方法を示す図である。
【図４】電気的に脆弱化可能な接着剤における結合を破壊または脆弱化した後で壁を分離するのが容易になるパッケージの一実施形態を示す図である。
【図５】電気的に脆弱化可能な接着剤における結合を破壊または脆弱化した後で壁を分離するのが容易になるパッケージの他の実施形態を示す図である。
【図６】電気的に脆弱化可能な接着剤に電圧を供給する装置を示す図である。
【図７】電気的に脆弱化可能な接着剤に電圧を供給する装置を示す図である。
【図１】
2009502683.tif 000003
【図２】
2009502683.tif 000004
【図３】
2009502683.tif 000005
【図４】
2009502683.tif 000006
【図５】
2009502683.tif 000007
【図６】
2009502683.tif 000008
【図７】
2009502683.tif 000009
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
互いに接合されて間に空洞を形成するように構成された、互いに間隔を置いて配置された２つの壁を有し、
前記２つの壁は、周囲縁部を有し、かつ本質的に前記縁部に沿って周囲接合部で互いに密封されているパッケージであって、
前記周囲接合部の一部が、少なくとも２つの導電面と、電気的に脆弱化可能な接着剤とを有し、
前記少なくとも２つの導電面は、前記空洞から前記周囲接合部へ向かって、少なくとも部分的に前記第１および第２の壁を越えて延びており、
前記少なくとも２つの導電面は電圧供給装置を通されるようになっている、パッケージ。
【請求項２】
前記２つの壁は少なくとも１つの導電性ポリマーを含む、請求項１に記載のパッケージ。
【請求項３】
第１の導電面が前記第１の壁の上に配置され、かつ第２の導電面が前記第２の壁の上に配置されており、
前記電気的に脆弱化可能な接着剤は、前記第１の導電面と前記第２の導電面との間の距離をまたいでいる、請求項１または２に記載のパッケージ。
【請求項４】
前記導電面に隣接して配置された少なくとも１つのフラップをさらに有する、請求項１から３のいずれか１項に記載のパッケージ。
【請求項５】
前記導電面に隣接する第２のブリスターをさらに有する、請求項１から４のいずれか１項に記載のパッケージ。
【請求項６】
前記第１および第２の壁に前記パッケージが開く方向に張力をかける弾性材料をさらに含む、請求項１から７のいずれか１項に記載のパッケージ。
【請求項７】
前記弾性材料は、前記２つの壁の少なくとも一方の上に、前記導電面に隣接して配置されている、請求項６に記載のパッケージ。
【請求項８】
前記弾性材料は、前記少なくとも２つの導電面の少なくとも１つの上に配置されている、請求項７に記載のパッケージ。
【請求項９】
請求項１から８のいずれか１項に記載のパッケージの導電面に電力を供給する装置であって、
互いに向かい合い、それによって読み取りスロットを形成し、少なくとも２つの導体を有する、第１および第２のフランジと、
前記導体間に電圧を印加するようになっている電圧供給源と、
を有する、パッケージの導電面に電力を供給する装置。
【請求項１０】
２つの前記フランジは、互いに向かってばね負荷がかけられている、請求項９に記載の装置。
【請求項１１】
２つの前記フランジは、前記スロットの幅の方向における第１の方向（方向Ｘ）に互いに隣接して配置されている、請求項１０に記載の装置。
【請求項１２】
前記少なくとも２つの導体は、前記第１の方向に対して垂直であり、かつ好ましくは読み取り動作の方向に対しても垂直な方向（方向ｚ）において分離されている、請求項１１に記載の装置。
【請求項１３】
前記少なくとも２つの導体は、前記スロットの幅を形成している第１の方向（方向ｘ）に分離されている、請求項１９に記載の装置。
【請求項１４】
前記少なくとも２つの導体は、前記第１の方向に対して垂直であり、かつ好ましくは読み取り動作の方向に対しても垂直な方向（方向ｚ）に分離されている、請求項１３に記載の装置。
【請求項１５】
バーコードリーダをさらに有する、請求項１０から１４のいずれか１項に記載の装置。
【請求項１６】
カードリーダをさらに有する、請求項９から１５のいずれか１項に記載の装置。
【請求項１７】
間に空洞を形成し、周囲縁部を有する、互いに間隔を置いて配置された第１および第２の２つの壁を用意することと、
前記２つの壁を実質的に前記縁部に沿って周囲接合部で密封することと、
前記周囲接合部の一部に、少なくとも２つの導電面と電気的に脆弱化可能な接着剤とを設けることと、
を含む方法。
【請求項１８】
少なくとも２つの導電面と電気的に脆弱化可能な接着剤とを有するブリスターパッケージを用意することと、
前記ブリスターパッケージの前記２つの導電面を有する部分を電圧供給装置に通すことと、
を含む方法。
【国際調査報告】
2009502683.tif 000010
2009502683.tif 000011
2009502683.tif 000012
2009502683.tif 000013